【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
を備え、
前記保存手段は、前記割当手段にて割り当て動作が行われた後に、いずれの前記操作スイッチが操作されても、１回の操作に応答して、前記選択肢を直ちに保存することを特徴とするパラメータ設定装置。
【請求項２】
複数個の操作スイッチと、
複数種のパラメータと、パラメータ毎に設定可能な複数の選択肢とを記憶した記憶手段と、
動作条件を設定する際に用いられる周囲環境要素の値を検出するセンサ手段と、
前記記憶手段に記憶されている複数種のパラメータからいずれかを選択する選択手段と、
この選択手段により選択されたパラメータに対応する選択肢を前記記憶手段から読み出す読出手段と、
この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
を備え、
前記保存手段は、前記割当手段にて割り当て動作が行われた後に、いずれの前記操作スイッチが操作されても、１回の操作に応答して、前記選択肢を直ちに保存することを特徴とするパラメータ設定装置。
【請求項３】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を、推奨する度合いに応じた異なる表示形態で表示する表示手段と、
前記操作スイッチに対する操作に応じて、当該スイッチに割り当てられている前記選択肢を前記選択手段により選択されたパラメータの設定条件として保存する保存手段と、
を備え、
前記保存手段は、前記割当手段にて割り当て動作が行われた後に、いずれの前記操作スイッチが操作されても、１回の操作に応答して、前記選択肢を直ちに保存することを特徴とするパラメータ設定装置。
【請求項４】
前記推奨する度合いに応じた異なる表示形態には、明暗、濃淡、網掛け、表示色のいずれか少なくとも一つが含まれることを特徴とする請求項３記載のパラメータ設定装置。
【請求項５】
複数個の操作スイッチと、
複数種のパラメータと、パラメータ毎に設定可能な複数の選択肢とを記憶した記憶手段と、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を表示する表示手段と、
前記操作スイッチに対する操作に応じて、当該スイッチに割り当てられている前記選択肢を前記選択手段により選択されたパラメータの設定条件として保存する保存手段と、
前記操作スイッチに対する操作に応じて、前記選択手段に前記複数種のパラメータから選択されていないパラメータを選択させる選択制御手段と、
を備え、
前記保存手段は、前記割当手段にて割り当て動作が行われた後に、いずれの前記操作スイッチが操作されても、１回の操作に応答して、前記選択肢を直ちに保存することを特徴とするパラメータ設定装置。
【請求項６】
前記表示手段は、前記操作スイッチと同一の形状であって、同一の位置関係からなるスイッチ画像を表示するとともに、前記各選択肢を各スイッチ画像に対応させて表示することにより、前記割当状態を表示することを特徴とする請求項１から５にいずれか記載のパラメータ設定装置。
【請求項７】
撮影手段を備え、
前記保存手段に保存される前記パラメータの設定条件は、前記撮影手段を制御するための撮影条件であることを特徴とする請求項１から６にいずれか記載のパラメータ設定装置。
【請求項８】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させ、
前記保存手段は、前記割当手段にて割り当て動作が行われた後に、いずれの前記操作スイッチが操作されても、１回の操作に応答して、前記選択肢を直ちに保存することを特徴とするパラメータ設定プログラム。
【請求項９】
複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出す読出手段と、
この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させ、
前記保存手段は、前記割当手段にて割り当て動作が行われた後に、いずれの前記操作スイッチが操作されても、１回の操作に応答して、前記選択肢を直ちに保存することを特徴とするパラメータ設定プログラム。
【請求項１０】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を、推奨する度合いに応じた異なる表示形態で前記表示手段に表示させる表示制御手段と、
前記操作スイッチに対する操作に応じて、当該スイッチに割り当てられている前記選択肢を前記選択手段により選択されたパラメータの設定条件として保存する保存手段と、
して機能させ、
前記保存手段は、前記割当手段にて割り当て動作が行われた後に、いずれの前記操作スイッチが操作されても、１回の操作に応答して、前記選択肢を直ちに保存することを特徴とするパラメータ設定プログラム。
【請求項１１】
複数個の操作スイッチと、複数種のパラメータと、パラメータ毎に設定可能な複数の選択肢とを記憶した記憶手段、及び表示手段を備える機器が有するコンピュータを、
前記記憶手段に記憶されている複数種のパラメータからいずれかを選択する選択手段と、
この選択手段により選択されたパラメータに対応する選択肢を前記記憶手段から読み出して、前記複数個の操作スイッチの各々に割り当てる割当手段と、
この割当手段により割り当てられた前記複数個のスイッチに対する前記各選択肢の割当状態を前記表示手段に表示させる表示制御手段と、
前記操作スイッチに対する操作に応じて、当該スイッチに割り当てられている前記選択肢を前記選択手段により選択されたパラメータの設定条件として保存する保存手段と、
前記操作スイッチに対する操作に応じて、前記選択手段に前記複数種のパラメータから選択されていないパラメータを選択させる選択制御手段と、
して機能させ、
前記保存手段は、前記割当手段にて割り当て動作が行われた後に、いずれの前記操作スイッチが操作されても、１回の操作に応答して、前記選択肢を直ちに保存することを特徴とするパラメータ設定プログラム。
【請求項１２】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含み、
前記保存工程は、前記割当工程にて割り当て動作が行われた後に、いずれの前記操作スイッチが操作されても、１回の操作に応答して、前記選択肢を直ちに保存することを特徴とするパラメータ設定方法。
【請求項１３】
複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出す読出工程と、
この読出工程により読み出された選択肢を、前記センサ手段により検出されている値、又は直前まで保存されていた当該パラメータの選択肢の少なくとも一方に基づく順序で、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含み、
前記保存工程は、前記割当工程にて割り当て動作が行われた後に、いずれの前記操作スイッチが操作されても、１回の操作に応答して、前記選択肢を直ちに保存することを特徴とするパラメータ設定方法。
【請求項１４】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を、推奨する度合いに応じた異なる表示形態で前記表示手段に表示させる表示制御工程と、
前記操作スイッチに対する操作に応じて、当該スイッチに割り当てられている前記選択肢を前記選択工程により選択されたパラメータの設定条件として保存する保存工程と、
を含み、
前記保存工程は、前記割当工程にて割り当て動作が行われた後に、いずれの前記操作スイッチが操作されても、１回の操作に応答して、前記選択肢を直ちに保存することを特徴とするパラメータ設定方法。
【請求項１５】
複数個の操作スイッチと、複数種のパラメータと、パラメータ毎に設定可能な複数の選択肢とを記憶した記憶手段、及び表示手段を備える機器におけるパラメータ設定方法であって、
前記記憶手段に記憶されている複数種のパラメータからいずれかを選択する選択工程と、
この選択工程により選択されたパラメータに対応する選択肢を前記記憶手段から読み出して、前記複数個の操作スイッチの各々に割り当てる割当工程と、
この割当工程により割り当てられた前記複数個のスイッチに対する前記各選択肢の割当状態を前記表示手段に表示させる表示制御工程と、
前記操作スイッチに対する操作に応じて、当該スイッチに割り当てられている前記選択肢を前記選択工程により選択されたパラメータの設定条件として保存する保存工程と、
前記操作スイッチに対する操作に応じて、前記選択工程に前記複数種のパラメータから選択されていないパラメータを選択させる選択制御工程と、
を含み、
前記保存工程は、前記割当工程にて割り当て動作が行われた後に、いずれの前記操作スイッチが操作されても、１回の操作に応答して、前記選択肢を直ちに保存することを特徴とするパラメータ設定方法。
【手続補正２】
【補正対象書類名】明細書
【補正対象項目名】０００８
【補正方法】変更
【補正の内容】
【０００８】
前記課題を解決するため請求項１記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、を備え、前記保存手段は、前記割当手段にて割り当て動作が行われた後に、いずれの前記操作スイッチが操作されても、１回の操作に応答して、前記選択肢を直ちに保存することを特徴とする。
【手続補正３】
【補正対象書類名】明細書
【補正対象項目名】０００９
【補正方法】変更
【補正の内容】
【０００９】
また、請求項２記載の発明に係るパラメータ設定装置にあっては、複数個の操作スイッチと、複数種のパラメータと、パラメータ毎に設定可能な複数の選択肢とを記憶した記憶手段と、動作条件を設定する際に用いられる周囲環境要素の値を検出するセンサ手段と、前記記憶手段に記憶されている複数種のパラメータからいずれかを選択する選択手段と、この選択手段により選択されたパラメータに対応する選択肢を前記記憶手段から読み出す読出手段と、この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、を備え、前記保存手段は、前記割当手段にて割り当て動作が行われた後に、いずれの前記操作スイッチが操作されても、１回の操作に応答して、前記選択肢を直ちに保存することを特徴とする。
【手続補正４】
【補正対象書類名】明細書
【補正対象項目名】００１０
【補正方法】変更
【補正の内容】
【００１０】
また、請求項３記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を、推奨する度合いに応じた異なる表示形態で表示する表示手段と、前記操作スイッチに対する操作に応じて、当該スイッチに割り当てられている前記選択肢を前記選択手段により選択されたパラメータの設定条件として保存する保存手段と、を備え、前記保存手段は、前記割当手段にて割り当て動作が行われた後に、いずれの前記操作スイッチが操作されても、１回の操作に応答して、前記選択肢を直ちに保存することを特徴とする。
【手続補正５】
【補正対象書類名】明細書
【補正対象項目名】００１２
【補正方法】変更
【補正の内容】
【００１２】
また、請求項５記載の発明に係るパラメータ設定装置にあっては、複数個の操作スイッチと、複数種のパラメータと、パラメータ毎に設定可能な複数の選択肢とを記憶した記憶手段と、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を表示する表示手段と、前記操作スイッチに対する操作に応じて、当該スイッチに割り当てられている前記選択肢を前記選択手段により選択されたパラメータの設定条件として保存する保存手段と、前記操作スイッチに対する操作に応じて、前記選択手段に前記複数種のパラメータから選択されていないパラメータを選択させる選択制御手段と、を備え、前記保存手段は、前記割当手段にて割り当て動作が行われた後に、いずれの前記操作スイッチが操作されても、１回の操作に応答して、前記選択肢を直ちに保存することを特徴とする。
【手続補正６】
【補正対象書類名】明細書
【補正対象項目名】００１５
【補正方法】変更
【補正の内容】
【００１５】
また、請求項８記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させ、前記保存手段は、前記割当手段にて割り当て動作が行われた後に、いずれの前記操作スイッチが操作されても、１回の操作に応答して、前記選択肢を直ちに保存することを特徴とする。
【手続補正７】
【補正対象書類名】明細書
【補正対象項目名】００１６
【補正方法】変更
【補正の内容】
【００１６】
また、請求項９記載の発明に係るパラメータ設定プログラムにあっては、複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出す読出手段と、この読出手段により読み出された選択肢を、前記センサ手段により検出されている値、又は直前まで保存されていた当該パラメータの選択肢の少なくとも一方に基づく順序で、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させ、前記保存手段は、前記割当手段にて割り当て動作が行われた後に、いずれの前記操作スイッチが操作されても、１回の操作に応答して、前記選択肢を直ちに保存することを特徴とする。
【手続補正８】
【補正対象書類名】明細書
【補正対象項目名】００１７
【補正方法】変更
【補正の内容】
【００１７】
また、請求項１０記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を、推奨する度合いに応じた異なる表示形態で前記表示手段に表示させる表示制御手段と、前記操作スイッチに対する操作に応じて、当該スイッチに割り当てられている前記選択肢を前記選択手段により選択されたパラメータの設定条件として保存する保存手段と、して機能させ、前記保存手段は、前記割当手段にて割り当て動作が行われた後に、いずれの前記操作スイッチが操作されても、１回の操作に応答して、前記選択肢を直ちに保存することを特徴とする。
【手続補正９】
【補正対象書類名】明細書
【補正対象項目名】００１８
【補正方法】変更
【補正の内容】
【００１８】
また、請求項１１記載の発明に係るパラメータ設定プログラムにあっては、複数個の操作スイッチと、複数種のパラメータと、パラメータ毎に設定可能な複数の選択肢とを記憶した記憶手段、及び表示手段を備える機器が有するコンピュータを、前記記憶手段に記憶されている複数種のパラメータからいずれかを選択する選択手段と、この選択手段により選択されたパラメータに対応する選択肢を前記記憶手段から読み出して、前記複数個の操作スイッチの各々に割り当てる割当手段と、この割当手段により割り当てられた前記複数個のスイッチに対する前記各選択肢の割当状態を前記表示手段に表示させる表示制御手段と、前記操作スイッチに対する操作に応じて、当該スイッチに割り当てられている前記選択肢を前記選択手段により選択されたパラメータの設定条件として保存する保存手段と、前記操作スイッチに対する操作に応じて、前記選択手段に前記複数種のパラメータから選択されていないパラメータを選択させる選択制御手段と、して機能させ、前記保存手段は、前記割当手段にて割り当て動作が行われた後に、いずれの前記操作スイッチが操作されても、１回の操作に応答して、前記選択肢を直ちに保存することを特徴とする。
【手続補正１０】
【補正対象書類名】明細書
【補正対象項目名】００１９
【補正方法】変更
【補正の内容】
【００１９】
また、請求項１２記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、を含み、前記保存工程は、前記割当工程にて割り当て動作が行われた後に、いずれの前記操作スイッチが操作されても、１回の操作に応答して、前記選択肢を直ちに保存することを特徴とする。
【手続補正１１】
【補正対象書類名】明細書
【補正対象項目名】００２０
【補正方法】変更
【補正の内容】
【００２０】
また、請求項１３記載の発明は、複数個の操作スイッチと、複数種のパラメータと、パラメータ毎に設定可能な複数の選択肢とを記憶した記憶手段と、動作条件を設定する際に用いられる周囲環境要素の値を検出するセンサ手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出す読出工程と、この読出工程により読み出された選択肢を、前記センサ手段により検出されている値、又は直前まで保存されていた当該パラメータの選択肢の少なくとも一方に基づく順序で、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、を含み、前記保存工程は、前記割当工程にて割り当て動作が行われた後に、いずれの前記操作スイッチが操作されても、１回の操作に応答して、前記選択肢を直ちに保存することを特徴とする。
【手続補正１２】
【補正対象書類名】明細書
【補正対象項目名】００２１
【補正方法】変更
【補正の内容】
【００２１】
また、請求項１４記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を、推奨する度合いに応じた異なる表示形態で前記表示手段に表示させる表示制御工程と、前記操作スイッチに対する操作に応じて、当該スイッチに割り当てられている前記選択肢を前記選択工程により選択されたパラメータの設定条件として保存する保存工程と、を含み、前記保存工程は、前記割当工程にて割り当て動作が行われた後に、いずれの前記操作スイッチが操作されても、１回の操作に応答して、前記選択肢を直ちに保存することを特徴とする。
【手続補正１３】
【補正対象書類名】明細書
【補正対象項目名】００２２
【補正方法】変更
【補正の内容】
【００２２】
また、請求項１５記載の発明は、複数個の操作スイッチと、複数種のパラメータと、パラメータ毎に設定可能な複数の選択肢とを記憶した記憶手段、及び表示手段を備える機器におけるパラメータ設定方法であって、前記記憶手段に記憶されている複数種のパラメータからいずれかを選択する選択工程と、この選択工程により選択されたパラメータに対応する選択肢を前記記憶手段から読み出して、前記複数個の操作スイッチの各々に割り当てる割当工程と、この割当工程により割り当てられた前記複数個のスイッチに対する前記各選択肢の割当状態を前記表示手段に表示させる表示制御工程と、前記操作スイッチに対する操作に応じて、当該スイッチに割り当てられている前記選択肢を前記選択工程により選択されたパラメータの設定条件として保存する保存工程と、前記操作スイッチに対する操作に応じて、前記選択工程に前記複数種のパラメータから選択されていないパラメータを選択させる選択制御工程と、を含み、前記保存工程は、前記割当工程にて割り当て動作が行われた後に、いずれの前記操作スイッチが操作されても、１回の操作に応答して、前記選択肢を直ちに保存することを特徴とする。